(57)【要約】【課題】足置き台を備えるデスクにもデスクワゴンを収容できるようにする。【解決手段】ワゴンは、デスクの天板の下に配置されて用いられる。また、ワゴンは、デスクの天板よりも低い位置に設けられデスクの幅方向に延設される足置き台と干渉しないように、自装置の幅の両端間にわたって凹んだ第１の凹部を備える。【選択図】図１
2020043911.tif 000002
【特許請求の範囲】
【請求項１】
デスクの天板の下に配置されて用いられるワゴンであって、
前記デスクの前記天板よりも低い位置に設けられ前記デスクの幅方向に延設される足置き台と干渉しないように、自装置の幅の両端間にわたって凹んだ第１の凹部を備える
ワゴン。
【請求項２】
前記第１の凹部は、自装置の背面から前面に向かってほぼ水平に凹んだスリットである
請求項１に記載のワゴン。
【請求項３】
自装置の上部にサイドキャビネットを載置する載置面を備える
請求項１又は２に記載のワゴン。
【請求項４】
前記載置面に、サイドキャビネットのキャスター又はアジャスターを収容するための第２の凹部を備える
請求項３に記載のワゴン。
【請求項５】
前記載置面に、前記サイドキャビネットの底部と係合する接続部材を備える
請求項３又は４に記載のワゴン。
【請求項６】
自装置の上部に前記サイドキャビネットを備え、
前記サイドキャビネットの底部と前記接続部材とが係合する
請求項５に記載のワゴン。
【請求項７】
自装置の底面にキャスターをさらに備える
請求項１から６のいずれか一項に記載のワゴン。
【請求項８】
自装置の前面が開口し、自装置の内部に物品を収容するための空間を備える
請求項１から７のいずれか一項に記載のワゴン。
【請求項９】
請求項１から８のいずれか一項に記載のワゴンと、
天板と、前記天板を、使用者が起立した姿勢で使用可能な位置に支持する脚部材と、前記天板よりも低い位置に設けられ、前記使用者が椅子に着席した姿勢で足を乗せることができる足置き台とを備えるデスクと
を備え、
前記デスクの足置き台の一部分が、前記ワゴンの第１の凹部に収容される
デスクシステム。
【発明の詳細な説明】
【技術分野】
【０００１】
本発明は、ワゴン及びデスクシステムに関する。
【背景技術】
【０００２】
従来、複数のデスクを連結してこれらに構成部材を共有させる連結デスクにおいて、各デスクの高さを独立して設定できるようにしたものが提案されている（例えば、特許文献１）。当該技術では、天板と脚部材との間に接続され、天板の高さを脚部材の上端よりも高い位置に支持する側面支持部材を用いる。
【先行技術文献】
【特許文献】
【０００３】
【特許文献１】特開２０１６−２１４６８０号公報
【発明の概要】
【発明が解決しようとする課題】
【０００４】
従来、使用者が起立した姿勢で使用できる連結デスクは提案されていた。このようなデスクを着席した姿勢で使用したい場合は、天板の高さに応じて座面が一般的な家具よりも高いフットリング付の椅子を使用する事が多かった。しかしながら、座面の高いフットリング付の椅子ではデスクの使用者はデスク使用時の足を載せる場所が限定されるために自由な姿勢をとりづらく、長時間の使用に向かないという問題があった。また、仮に、使用者が着席した状態でも適切な姿勢で使用できるよう、例えばデスクの両端の脚部間に、使用者の足を載せるための足置き台を設ける場合、一般的なデスクワゴン（サイドキャビネット、脇机）等と干渉し、天板の下の空間に収容することができないという問題が生じる。
【０００５】
そこで、本発明は、足置き台を備えるデスクにもデスクワゴンを収容できるようにすることを目的とする。
【課題を解決するための手段】
【０００６】
本発明に係るワゴンは、デスクの天板の下に配置されて用いられる。また、ワゴンは、デスクの天板よりも低い位置に設けられデスクの幅方向に延設される足置き台と干渉しないように、自装置の幅の両端間にわたって凹んだ第１の凹部を備える。また、第１の凹部は、自装置の背面から前面に向かってほぼ水平に凹んだスリットであってもよい。
【０００７】
このようにすれば、足置き台を備えるデスクの下にもワゴンを収容できるようになる。なお、ワゴンは、一般的なオフィス用のサイドキャビネットを載置するためのものであってもよいし、一体的に形成され、第１の凹部を備える収納家具であってもよい。
【０００８】
また、自装置の上部にサイドキャビネットを載置する載置面を備えるようにしてもよい。このようにすれば、サイドキャビネットとワゴンとが分離する構成において、自装置のみでサイドキャビネットを支持することができる。この様な分離構造とする事で、足置き台を使用しない際には、自装置と分離する事で流用することが可能となる。
【０００９】
また、ワゴンは、載置面に、サイドキャビネットのキャスター又はアジャスターを収容するための第２の凹部を備えるようにする事で、一般的なサイドキャビネットをそのまま載置することができ、安定性も向上する。
【００１０】
また、ワゴンは、載置面に、サイドキャビネットの底部と係合する接続部材を備えるようにしてもよい。また、ワゴンは、自装置の上部にサイドキャビネットを備え、サイドキャビネットの底部と連結部とが係合するようにしてもよい。サイドキャビネットとワゴンとを連結することにより、安定性を向上させることができる。
【００１１】
また、ワゴンは、自装置の底面にキャスターをさらに備えるようにしてもよい。このようにすれば、使用者はワゴンを容易に移動させることができる。
【００１２】
また、ワゴンは、自装置の前面が開口し、自装置の内部に物品を収容するための空間を備えるようにしてもよい。このようにすれば、空間を有効に活用できる。
【００１３】
また、本発明の他の側面に係るデスクシステムは、上述したワゴンに加え、天板と、天板を、使用者が起立した姿勢で使用可能な位置に支持する脚部材と、天板よりも低い位置に設けられ、使用者が椅子に着席した姿勢で足を乗せることができる足置き台とを備えるデスクを備え、デスクの足置き台の一部分が、ワゴンの第１の凹部に収容される。このようにすれば、足置き台を備えるデスクにもサイドキャビネットを収容できるようになる。
【００１４】
なお、上記課題を解決するための手段の内容は、本発明の課題や技術的思想を逸脱しない範囲で可能な限り組み合わせることができる。
【発明の効果】
【００１５】
本発明によれば、足置き台を備えるデスクにもサイドキャビネットを収容できるようになる。
【図面の簡単な説明】
【００１６】
【図１】図１は、デスクワゴンの一例を示す斜視図である。
【図２】図２は、デスクワゴンの一例を示す斜視図である。
【図３】図３は、デスクワゴンとデスクとを含むデスクシステムの一例を示す斜視図である。
【図４】図４は、ワゴンの一例を示す斜視図である。
【図５】図５は、ワゴンの一例を示す斜視図である。
【図６】図６は、デスクワゴンの一例を示す分解斜視図である。
【図７】図７は、デスクワゴンの一例を示す右側面図である。
【図８】図８は、デスクシステムの使用状態の一例を示す図である。
【図９】図９は、変形例に係るデスクワゴンの一例を示す右側面図である。
【図１０】図１０は、変形例に係るデスクワゴンの一例を示す右側面図である。
【発明を実施するための形態】
【００１７】
本発明の実施形態を、図面に基づいて説明する。
【００１８】
＜全体構成＞
図１及び図２は、本実施形態に係るデスクワゴンの一例を示す斜視図である。図１には、デスクワゴン１０の正面、平面（上面）、右側面が表れている。図２には、デスクワゴン１０の背面、平面、右側面が表れている。なお、図面に方向を示す通り、後述する引出しが開く方向を前、その逆を奥又は後ろと呼ぶものとする。また、前からデスクワゴン１０に向かって左右をそれぞれ左、右と呼び、鉛直方向上下をそれぞれ上、下と呼ぶ。
【００１９】
また、デスクワゴン１０は、本実施形態に係るワゴン１と、サイドキャビネット２とを含む。サイドキャビネット２は、引出しを備え、一般的なデスクの下に収納できる、例えばオフィス向けの一般的な収納家具である。ワゴン１は、その上部にサイドキャビネット
２を載置することができる台である。また、ワゴン１には、その幅方向の両端間にわたり、その背面から前方に向けて凹んだ、水平なスリット状の空隙１１が設けられている。スリット状の空隙１１は、本発明に係る「第１の凹部」に相当する。
【００２０】
図３は、デスクワゴンとデスクとを含むデスクシステムの一例を示す斜視図である。デスクシステム３０は、上述したワゴン１及びサイドキャビネット２、並びにデスク３を含む。デスク３は、使用者が起立した姿勢で使用することができる。例えば、一般的なオフィス用デスクの天板の高さは、床面から７００ｍｍから７２０ｍｍ程度であるところ、本実施形態に係るデスク３の天板３２の高さは９５０ｍｍから１１００ｍｍ程度が好ましい。また、使用者は、一般的な高さよりも座面の高い椅子（「ハイチェア」とも呼ぶ。図示せず）に座ってデスク３を使用することもできる。ハイチェアの座面の高さは、例えば天板３２の高さよりも２００ｍｍから３５０ｍｍ程度低い位置が好ましい。また、デスク３は、使用者がハイチェア等の椅子に着席して使用する際に足を載せることができる足置き台３１を備える。足置き台３１は、デスク３の幅方向の両端に設けられた脚部３３に、例えばアングル等の接続部材を介してほぼ水平に保持される板状の部材である。すなわち、足置き台３１は、デスクの天板よりも低い位置に設けられ、デスクの幅方向に延設される。また、足置き台３１の前方の端部は、天板３２の前方の端部よりも奥まった位置に存在し、デスクの下に椅子を収納する際に椅子の足と干渉することが低減され、また、使用者が足をぶつける可能性も低減される。また、デスク３における足置き台３１から天板までの距離は、一般的なデスクにおける床面から天板までの距離とほぼ等しい。したがって、使用者がデスク３を、着席した姿勢で使用する場合においても、使用者は望ましい姿勢をとることができる。
【００２１】
また、図３に示すように、ワゴン１の空隙１１は、足置き台３１と干渉しないような位置に設けられている。サイドキャビネット２は、仮にデスク３の天板３２の下に収容しようとしても、足置き台３１と衝突するため奥までは入らない。しかし、サイドキャビネット２をワゴン１の上に載置することで、サイドキャビネット２を足置き台３１の上部に保持すると共に、空隙１１に足置き台３１を挿入することができ、デスク３の天板３２の下の空間の奥までデスクワゴン１０を入れることができる。
【００２２】
図４及び図５は、ワゴンの一例を示す斜視図である。図４には、ワゴン１の正面、右側面及び平面が表れている。図５には、ワゴン１の背面、左側面及び底面が表れている。ワゴン１は、ほぼ直方体形状の台である。その側面１２の上方には、背面側から前方側に向かってほぼコ字状に凹んだ凹部があり、空隙１１を形成する。また、ほぼ長方形である上面１３は、サイドキャビネット２が載置される載置面である。上面１３の四隅には、載置されるサイドキャビネット２のキャスター又はアジャスターと対応する位置に、これらを収容するための凹部１３１が設けられている。凹部１３１は、本発明に係る「第２の凹部」に相当する。また、上面１３には、サイドキャビネット２を載置した状態で固定するための接続部材を接続するためのねじ穴１３２が設けられている。また、ワゴン１の正面側は開口しており、２つの側面１２、上面１３及び底面１４とで囲われた空間１５が設けられている。空間１５は、書類や鞄等の物品を収容するための収納として利用することができる。また、ワゴン１の背面側には、空間１５の奥の端部を塞ぐ背面１６が設けられている。背面１６と上述した上面１３との間には、スリット状の空隙１１が設けられている。空隙１１は、ワゴン１の幅方向の両端間にわたり、背面側から正面側に向かってほぼ水平に設けられている。また、空隙１１の奥行きは、足置き台３１の奥行き程度の長さであり、ワゴン１をデスク３の奥に収容する場合に足置き台３１と空隙１１とが干渉しないようになっている。空隙１１の底面側には、上述した空間１５の上面の一部を形成する平板状の平板部材１７が設けられている。また、空隙１１の正面側の端部には、平板状の壁部材１８が設けられている。また、ワゴン１の底面の鉛直下方の四隅には、キャスター１９が設けられている。すなわち、ワゴン１は、使用者が容易に移動させられる台車になってい
る。なお、ワゴン１は、一般的なスチール等で形成することができる。
【００２３】
図６は、デスクワゴンの一例を示す分解斜視図である。図７は、デスクワゴンの一例を示す右側面図である。図７の側面図は、ワゴン１及びサイドキャビネット２の内部の構造の一部を破線で表している。サイドキャビネット２は、その底面に開口部を有している。そして、使用者は、引出し２１を引き抜いて取り外すことで、開口部の端部２２に本実施形態に係る接続部材１３３を係合させることができる。開口部の端部２２は、水平方向に突出する板状の凸部になっており、接続部材１３３と係合される被係合部として機能する。また、本実施形態に係る接続部材１３３は、断面形状がＺ形のＺ形鋼であり、平板状の中央部の両端に、それぞれ逆方向にほぼ直角に曲げられた２つの端部を有する。接続部材１３３の左右方向の幅はサイドキャビネット２の底面の開口部の幅よりも小さく、接続部材１３３の中央部の長さは、開口部の端部２２の厚さよりも大きい。そして、接続部材１３３の一端を開口部の端部２２に掛け、他端をねじ（図示せず）でワゴン１の上面１３のねじ穴１３２に接続する。また、サイドキャビネット２の底面の開口は、対向する位置に端部２２を少なくとも２つ有しており、少なくとも２つの端部２２が接続部材１３３を介してワゴン１と接続されるものとする。
【００２４】
このようにして、既存のサイドキャビネット２にはねじ穴等を設けることなく、ワゴン１と接続することができる。なお、接続部材１３３の形状はＺ形鋼には限られず、サイドキャビネット２側の被接続部の形状に合わせて適宜変更することができる。また、サイドキャビネット２側にねじ穴等を設けて接続するようにしてもよい。
【００２５】
図８は、本実施形態に係るデスクシステムの使用状態の一例を示す図である。ワゴン１は、サイドキャビネット２の底面を、足置き台３１とほぼ同じ高さに保持する。本実施形態に係るワゴン１によれば、起立した姿勢で使用できる高さのデスク３に、ハイチェア４に着座して使用するための足置き台３１を設けた場合であっても、サイドキャビネット２が足置き台３１と干渉せずにデスク３の下に収容できるようになる。また、ワゴン１の奥行きはサイドキャビネット２の奥行以下であり、はみ出すことなくデスクワゴン１０をデスク３の下に収容することができる。なお、足置き台３１から天板３２までの高さは、床面から一般的なデスクの天板までの高さとほぼ同じである。したがって、使用者は、ハイチェア４に座った状態で、サイドキャビネット２に収容物を出し入れすることができる。
【００２６】
＜変形例＞
図９は、変形例に係るデスクワゴンの一例を示す右側面図である。本変形例では、ワゴン１の空隙１１はスリット状でなく、側面視において段付きになった切欠きである。すなわち、ワゴン１は前後に２段の階段状の上面を有し、前方の上段にはサイドキャビネット２の前方の一部が載置される。後方の下段は、デスク３の足置き台３１の下方に収容される。そして、サイドキャビネット２の後方の一部は足置き台３１上に載置される。また、ワゴン１とサイドキャビネット２とを接続する接続部材をさらに備えていてもよい。
【００２７】
このような構成であっても、ワゴン１は、サイドキャビネット２を足置き台３１とほぼ同じ高さに保持することができる。したがって、起立した姿勢で使用できる高さのデスクに、ハイチェアに着座して使用するための足置き台を設けた場合であっても、サイドキャビネットが足置き台と干渉せずにデスクの下に収容できるようになる。
【００２８】
図１０は、他の変形例に係るデスクワゴンの一例を示す右側面図である。本変形例に係るデスクワゴン１０は、ワゴン１とサイドキャビネット２とが一体に形成され、分離しないようになっている。また、背面にはスリット状の空隙１１が設けられ、デスク３の下に収容する場合に足置き台３１と干渉しないようになっている。また、図１０の例では空間１５に代えて、最下段にも引出し２１を備えている。なお、引出し２１の内部は、書類や
鞄等の物品を収容するための空間といえる。
【００２９】
なお、説明した実施形態及び変形例は例示であり、本発明は上述した態様には限定されない。上述した態様の一部は、本発明の課題や技術的思想を逸脱しない範囲で、他の態様と可能な限り組み合わせることができる。
【００３０】
ワゴン１は、その底面に、床面に対して付勢しワゴン１の移動を規制するためのロック機構を備えるようにしてもよい。また、ワゴン１のキャスター１９にその回転を抑制しワゴン１の移動を規制するためのロック機構を備えるようにしてもよい。これらのロック機構によれば、使用者が座面の高い椅子に座ってサイドキャビネット２から物品を出し入れする場合であっても、ワゴン１の移動を規制できるため、安全性が向上する。また、ワゴン１は、凹部１３１、接続部材１３３、キャスター１９等を備えず、単にサイドキャビネット２を載置するものであってもよい。
【符号の説明】
【００３１】
３０    ：デスクシステム
１０    ：デスクワゴン
１      ：ワゴン
１１    ：空隙
１２    ：側面
１３    ：上面
１３１  ：凹部
１３２  ：ねじ穴
１３３  ：接続部材
１４    ：底面
１５    ：空間
１９    ：キャスター
２      ：サイドキャビネット
２１    ：引出し
２２    ：開口の端部
３      ：デスク
３１    ：足置き台
３２    ：天板
３３    ：脚部
４      ：ハイチェア
【図１】
2020043911.tif 000003
【図２】
2020043911.tif 000004
【図３】
2020043911.tif 000005
【図４】
2020043911.tif 000006
【図５】
2020043911.tif 000007
【図６】
2020043911.tif 000008
【図７】
2020043911.tif 000009
【図８】
2020043911.tif 000010
【図９】
2020043911.tif 000011
【図１０】
2020043911.tif 000012